(57)【要約】【課題】光ディスク装置において、光ディスクの認識エラーの発生原因を判別する。【解決手段】ＢＤレコーダは、第１閾値と第２閾値とが記憶されるメモリと、光ディスクドライブとを備える。光ディスクドライブは、レーザダイオードを含む光ピックアップと、レーザダイオードの駆動電流値を検出する電流検出回路とを有する。光ディスクに認識エラーが発生した場合（Ｓ１でＹＥＳ）、ＢＤレコーダは駆動電流値と第１閾値とを比較し（Ｓ２）、第１閾値を超えている場合（Ｓ３でＹＥＳ）、レーザダイオードに異常が発生していると判別する。一方、第１閾値を超えていないとき（Ｓ３でＮＯ）、ＢＤレコーダは、駆動電流値が第２閾値未満である場合（Ｓ６でＹＥＳ）、レーザダイオード以外の回路部品又は配線に異常が発生していると判別し（Ｓ７）、第２閾値未満でない場合（Ｓ６でＮＯ）、汚れ等によって光ディスクに異常が発生していると判別する。【選択図】図４
2010192072.tif 000002
【特許請求の範囲】
【請求項１】
光ディスクに対してレーザ光を照射するためのレーザダイオードを有し、光ディスクに対してデータの読み書きを行う光ピックアップと、
前記レーザダイオードの駆動電流値を検出する電流検出手段と、
各種情報を記憶する記憶手段と、
装置各部を制御する制御手段とを備える光ディスク装置において、
前記記憶手段は、
前記レーザダイオードに異常が発生しているか否かを判別するための第１閾値と、
自装置内に異常が発生しているか否かを判別するための第２閾値とをそれぞれ記憶し、
前記制御手段は、
前記光ピックアップを用いて光ディスクからデータを読み書きするとき、
前記電流検出手段によって検出された駆動電流値が前記第１閾値を超えている否かを判別し、この結果、超えている場合、前記レーザダイオードに異常が発生していると判別し、
上記判別の結果、超えていない場合、前記駆動電流値が前記第２閾値未満であるか否かを判別し、この結果、前記第２閾値未満である場合、自装置内における前記レーザダイオード以外の回路部品又は配線に異常が発生していると判別し、
上記判別の結果、前記第２閾値未満でない場合、光ディスクに異常が発生していると判別することを特徴とする光ディスク装置。
【請求項２】
映像を表示可能なディスプレイを有する表示装置と接続するための接続手段と、
前記接続手段に接続された前記表示装置に対して映像を出力する映像出力手段とをさらに備え、
前記制御手段は、
前記光ピックアップを用いて光ディスクからデータを読み書きするとき、
前記レーザダイオードに異常が発生していると判別した場合、前記映像出力手段を用いて、該レーザダイオードに異常が発生している旨を報知するメッセージを前記表示装置のディスプレイ上に表示し、
自装置内における前記レーザダイオード以外の回路部品又は配線に異常が発生していると判別した場合、前記映像出力手段を用いて、自装置内に異常が発生している旨を報知するメッセージを前記表示装置のディスプレイ上に表示し、
光ディスクに異常が発生していると判別した場合、前記映像出力手段を用いて、該光ディスクに異常が発生している旨を報知するメッセージを前記表示装置のディスプレイ上に表示することを特徴とする請求項１に記載の光ディスク装置。
【発明の詳細な説明】
【技術分野】
【０００１】
本発明は、光ディスクの認識エラーを判別可能な光ディスク装置に関する。
【背景技術】
【０００２】
従来から、レーザ光を照射するレーザダイオードを有する光ピックアップを備え、ブルーレイディスク等の光ディスクに対してデータの読み書きを行う光ディスク装置が知られている。この種の光ディスク装置では、レーザダイオードの発光強度が経年劣化により低下するため、レーザダイオードに流す電流量を増加させることにより所定の発光強度を維持している。しかし、レーザダイオードの劣化がさらに進むと所定の発光強度を維持できなくなるため、このような場合、光ディスクに対してデータの読み書きを正常に行うことができない等の異常状態（以下、認識エラーという）が発生する。
【０００３】
ところで、認識エラーは、光ディスクの読み取り面が汚れていることによっても発生する。従って、上記従来の光ディスク装置では、認識エラーの発生原因が、光ディスクの汚れによるものか、又はレーザダイオードの劣化の問題によるものかを判別することができない。
【０００４】
これに対して、特許文献１には、レーザダイオードの駆動電流値が所定の駆動電流値よりも大きいか否かを判別することにより、レーザダイオードの劣化を判定することができる光ディスク装置が開示されている。また、特許文献２には、レーザダイオードに流れる電流とモニタの出力電流との勾配に基づいて、レーザダイオードの劣化を判定する光ディスク装置が開示されている。これらの光ディスク装置では、認識エラーがレーザダイオードの劣化によるものであるか否かを判別することができるため上記問題を解決できる。しかしながら、認識エラーは、レーザダイオードの劣化以外に光ディスク装置内の回路部品等の不具合発生が原因である場合もある。しかし、上記特許文献１及び２に開示された光ディスク装置では、装置内部の問題によって認識エラーが発生したものであるか否かを判別することができないため、ユーザにとって使い勝手が悪い。
【先行技術文献】
【特許文献】
【０００５】
【特許文献１】特開平１１−１６１９９５号公報
【特許文献２】特開２００７−１２８５９３号公報
【発明の概要】
【発明が解決しようとする課題】
【０００６】
本発明は、上述した問題点を解決するためになされたものであり、光ディスクの認識エラーの発生原因を判別することができる光ディスク装置を提供することを目的とする。
【課題を解決するための手段】
【０００７】
上記目的を達成するために請求項１の発明は、光ディスクに対してレーザ光を照射するためのレーザダイオードを有し、光ディスクに対してデータの読み書きを行う光ピックアップと、前記レーザダイオードの駆動電流値を検出する電流検出手段と、各種情報を記憶する記憶手段と、装置各部を制御する制御手段とを備える光ディスク装置において、前記記憶手段は、前記レーザダイオードに異常が発生しているか否かを判別するための第１閾値と、自装置内に異常が発生しているか否かを判別するための第２閾値とをそれぞれ記憶し、前記制御手段は、前記光ピックアップを用いて光ディスクからデータを読み書きするとき、前記電流検出手段によって検出された駆動電流値が前記第１閾値を超えている否かを判別し、この結果、超えている場合、前記レーザダイオードに異常が発生していると判別し、上記判別の結果、超えていない場合、前記駆動電流値が前記第２閾値未満であるか否かを判別し、この結果、前記第２閾値未満である場合、自装置内における前記レーザダイオード以外の回路部品又は配線に異常が発生していると判別し、上記判別の結果、前記第２閾値未満でない場合、光ディスクに異常が発生していると判別するものである。
【０００８】
請求項２に記載の発明は、請求項１に記載の光ディスク装置において、映像を表示可能なディスプレイを有する表示装置と接続するための接続手段と、前記接続手段に接続された前記表示装置に対して映像を出力する映像出力手段とをさらに備え、前記制御手段は、前記光ピックアップを用いて光ディスクからデータを読み書きするとき、前記レーザダイオードに異常が発生していると判別した場合、前記映像出力手段を用いて、該レーザダイオードに異常が発生している旨を報知するメッセージを前記表示装置のディスプレイ上に表示し、自装置内における前記レーザダイオード以外の回路部品又は配線に異常が発生していると判別した場合、前記映像出力手段を用いて、自装置内に異常が発生している旨を報知するメッセージを前記表示装置のディスプレイ上に表示し、光ディスクに異常が発生していると判別した場合、前記映像出力手段を用いて、該光ディスクに異常が発生している旨を報知するメッセージを前記表示装置のディスプレイ上に表示するものである。
【発明の効果】
【０００９】
本発明によれば、制御手段は、駆動電流値が第１閾値を超えている場合、レーザダイオードに異常が発生していると判別する。また、制御手段は、駆動電流値が第１閾値を超えていない場合、駆動電流値が第２閾値未満であれば、自装置内におけるレーザダイオード以外の回路部品又は配線に異常が発生していると判別し、一方、第２閾値未満でなければ、光ディスクに異常が発生していると判別する。そのため、レーザダイオードに異常が発生している場合、及び光ディスクに異常が発生している場合に加えて、自装置内に異常が発生している場合についても発生原因を判別することができるのでユーザにとって使い勝手が良い。
【図面の簡単な説明】
【００１０】
【図１】本発明の一実施形態に係るブルーレイディスクレコーダの構成を示すブロック図。
【図２】上記ブルーレイディスクレコーダの各閾値を示すリスト。
【図３】上記ブルーレイディスクレコーダの光ディスクドライブの概要構成を示すブロック図。
【図４】上記ブルーレイディスクレコーダの再生処理の手順を示すフローチャート。
【図５】上記ブルーレイディスクレコーダに接続されるモニタ装置に表示される映像を示す説明図。
【発明を実施するための形態】
【００１１】
本発明の一実施形態に係るブルーレイディスクレコーダ（光ディスク装置）について、図１及び図２を参照して説明する。図１は、ブルーレイディスクレコーダ（以下、ＢＤレコーダという）１の内部構成を示し、図２は、レーザダイオードの各種駆動電流値のリストを示す。ＢＤレコーダ１は、３つのレーザダイオードを有し、ブルーレイディスク、ＤＶＤ、及びＣＤの光ディスク媒体を再生することができる装置であり、ＨＤＭＩケーブル３を介して接続されたモニタ装置２に映像や音声を出力する。モニタ装置２は、ディスプレイ２１やスピーカ２２を有する表示装置であり、ＢＤレコーダ１から出力された映像をディスプレイ２１に表示したり、音声をスピーカ２２に出力したりする。
【００１２】
ＢＤレコーダ１は、放送局から放送されるテレビジョン（以下、ＴＶという）放送信号に基づくＴＶ番組を受信するチューナ（ＴＶ番組受信手段）１１と、ユーザによって操作されるボタン等を有する操作部１２とを備える。また、ＢＤレコーダ１は、筐体外部に露出するように設けられたＨＤＭＩ端子部（接続手段）１３と、各種情報が記憶されるメモリ１４と、光ディスクドライブ１５と、装置各部の制御を行う制御用マイコン（制御手段）１６とをさらに備える。
【００１３】
メモリ１４には、制御用マイコン１６を動作させるためのプログラム１４ａと、第１閾値１４ｂと、第２閾値１４ｃとが記憶されている。第１閾値１４ｂは、光ディスクドライブ１５の光ピックアップ１５ａに設けられた各レーザダイオード３１（３１ａ、３１ｂ、３１ｃ：図３参照）に異常が発生しているか否かを判別するための値である。第２閾値１４ｃは、自装置１内に異常が発生しているか否かを判別するための値である。
【００１４】
第１閾値１４ｂ及び第２閾値１４ｃは、各レーザダイオード３１（図３参照）の特性に対応した値であり、例えば、図２のリストＬに示すように、各レーザダイオード３１の駆動電流値の最大値、及び最小値の値が予め算出されて記憶されている。ここでは、リストＬに示すように、光ディスクＤがＣＤ（Ｃｏｍｐａｃｔ  Ｄｉｓｃ）である場合、第１閾値１４ｂは最大値６８ｍＡであり、第２閾値１４ｃは５９．３ｍＡである。また、光ディスクＤがＤＶＤ（Ｄｉｇｉｔａｌ  Ｖｅｒｓａｔｉｌｅ  Ｄｉｓｃ）である場合、第１閾値１４ｂは最大値５０．４ｍＡであり、第２閾値１４ｃは４１．７ｍＡである。また、光ディスクＤがＢＤ（Ｂｌｕ−ｒａｙ  Ｄｉｓｃ）である場合、第１閾値１４ｂは最大値３１．２ｍＡであり、第２閾値１４ｃは１９．９ｍＡである。
【００１５】
光ディスクドライブ１５は、光ディスクＤに対してレーザ光を照射するための各レーザダイオード３１（図３参照）が設けられた光ピックアップ１５ａを有する。光ピックアップ１５ａは、光ディスクドライブ１５の内部に装着されたブルーレイディスク等の光ディスクＤからテレビ番組等のデータの読み出しや書き込みを行う。
【００１６】
制御用マイコン１６は、映像出力部（映像出力手段）１６ａと、録画処理部１６ｂと、エラー判別部１６ｃとを有する。映像出力部１６ａは、チューナ１１によって受信されたＴＶ番組や、光ディスクドライブ１５によって光ディスクＤから読み出されたＴＶ番組等の再生を行い、再生されたＴＶ番組や各種メッセージを表示するための映像信号及び音声信号を、ＨＤＭＩケーブル３を介してモニタ装置２に出力する。
【００１７】
録画処理部１６ｂは、例えばユーザによる操作部１２の操作に基づいてチューナ１１から受信されたＴＶ番組を、光ディスクドライブ１５を用いて光ディスクＤに録画する。エラー判別部１６ｃは、光ディスクＤからデータの読み書きが正常に行えないエラー状態（以下、認識エラーという）が発生した場合に、第１閾値１４ｂ及び第２閾値１４ｃの値に基づいて発生原因を判別する処理を行うものである。処理の詳細については後述する。
【００１８】
次に、光ディスクドライブ１５の光ピックアップ１５ａの周辺の構成について、図３を参照して説明する。図３は、光ディスクドライブ１５の構成を示すブロック図である。
【００１９】
光ディスクドライブ１５は、光ピックアップ１５ａに加えて、レーザダイオードドライバ回路（以下、ＬＤドライバ回路という）１５ｂと、電流検出回路（電流検出手段）１５ｃと、電流を供給する電源回路１５ｄとを有する。光ピックアップ１５ａは、光ディスクＤにレーザ光を照射する各レーザダイオード３１に加えて、光ディスクＤからの反射光を受光するフォトダイオード３２を有する。各レーザダイオード３１は、ＣＤに対してデータの読み書きを行うレーザダイオード３１ａと、ＤＶＤに対してデータの読み書きを行うレーザダイオード３１ｂと、ＢＤに対してデータの読み書きを行うレーザダイオード３１ｃとを含む。
【００２０】
ＬＤドライバ回路１５ｂは、電源回路１５ｄから供給される電流を各レーザダイオード３１へ供給する。電流検出回路１５ｃは、ＬＤドライバ回路１５ｂと電源回路１５ｄとの間に接続され、レーザダイオード３１の駆動電流値を検出し、検出した駆動電流値を制御用マイコン１６に送信する。電流検出回路１５ｃは、例えば、抵抗を含み、抵抗の両端にかかる電圧を検出し、この電圧値に基づき、レーザダイオード３１の駆動電流値を求める。
【００２１】
次に、光ディスクＤの再生処理について図４、及び図５を参照して説明する。図４は、再生処理のフローチャートを示し、図５（ａ）〜（ｃ）は、それぞれモニタ装置２のディスプレイ２１上に表示されるメッセージの例を示す。ここでは、光ディスクドライブ１５の内部に既に光ディスクＤが装着されており、この光ディスクＤからデータを読み取る際の処理を想定する。ここでは、光ディスクＤとしてＢＤが装着されたものとし、第１閾値１４ｂ及び第２閾値１４ｃにはＢＤに対応した値が格納されるものとする。
【００２２】
まず、光ディスクＤからデータの読み出しが行えない等の認識エラーが発生した場合（Ｓ１でＹＥＳ）、制御用マイコン１６は、エラー判別部１６ｃを用いて、電流検出回路１５ｃから送信されたレーザダイオード３１ｃの駆動電流値と第１閾値１４ｂとを比較する（Ｓ２）。一方、認識エラーが発生していない場合（Ｓ１でＮＯ）、光ディスクＤからデータを読み出す（Ｓ９）。
【００２３】
そして、上記Ｓ２の比較の結果、駆動電流値が第１閾値１４ｂを超えている場合（Ｓ３でＹＥＳ）、レーザダイオード３１ｃに異常が発生していると判別し、制御用マイコン１６は、レーザダイオード３１ｃに異常が発生している旨を報知する（Ｓ４）。具体的には、制御用マイコン１６が、映像出力部１６ａを用いて、例えば図５（ａ）に示すように、レーザダイオード３１ｃに異常が発生している旨を報知するメッセージをモニタ装置２のディスプレイ２１上に表示する。
【００２４】
一方、上記Ｓ２の比較の結果、駆動電流値が第１閾値１４ｂを超えていない場合（Ｓ３でＮＯ）、制御用マイコン１６は、エラー判別部１６ｃを用いて、駆動電流値が第２閾値１４ｃ未満であるか否かを判定する（Ｓ５）。この結果、第２閾値１４ｃ未満である場合（Ｓ６でＹＥＳ）、自装置１内におけるレーザダイオード３１ｃ以外の回路部品又は配線、例えば、ＬＤドライバ回路１５ｂや、ＬＤドライバ回路１５ｂと電源回路１５ｄとを結ぶ配線等に異常が発生していると判別し、その旨を報知する（Ｓ７）。具体的には、制御用マイコン１６が、映像出力部１６ａを用いて、例えば図５（ｂ）に示すように、自装置１内に異常が発生している旨を報知するメッセージをモニタ装置２のディスプレイ２１上に表示する。
【００２５】
一方、上記Ｓ５の比較の結果、第２閾値未満でない場合（Ｓ６でＮＯ）、制御用マイコン１６は、汚れ等によって光ディスクＤに異常が発生していると判別し、その旨を報知する（Ｓ８）。具体的には、制御用マイコン１６が、映像出力部１６ａを用いて、例えば図５（ｃ）に示すように、光ディスクＤに異常が発生している旨を報知するメッセージをモニタ装置２のディスプレイ２１上に表示する。なお、ここでは、光ディスクＤがＢＤである場合の例を示したが、光ディスクＤがＣＤである場合やＤＶＤである場合であっても、同様にレーザダイオード３１ａ、３１ｂに異常が発生している旨の報知を行うことができる。また、光ディスクＤに認識エラーが発生した場合、レーザダイオード３１ａ〜３１ｃのそれぞれを順番に駆動させると共に、そのときの駆動電流値に対して上記図４に示した処理を行うことにより異常の発生原因を報知するものであってもよい。
【００２６】
上述したように、本実施形態に係るＢＤレコーダ１においては、制御用マイコン１６は、各レーザダイオード３１の駆動電流値が第１閾値１４ｂを超えている場合、各レーザダイオード３１に異常が発生していると判別する。また、制御用マイコン１６は、各レーザダイオード３１の駆動電流値が第１閾値１４ｂを超えていない場合、駆動電流値が第２閾値１４ｃ未満であれば、自装置１内における各レーザダイオード３１以外の回路部品又は配線に異常が発生していると判別し、一方、第２閾値１４ｃ未満でなければ、光ディスクＤに異常が発生していると判別する。そのため、各レーザダイオード３１に異常が発生している場合、及び光ディスクＤに異常が発生している場合に加えて、自装置１内に異常が発生している場合についても発生原因を判別することができるのでユーザにとって使い勝手が良い。
【００２７】
なお、本発明は、上記実施形態の構成に限られず、発明の趣旨を変更しない範囲で種々の変形が可能である。例えば、各レーザダイオード等に異常が発生した場合、音声によって異常が発生した旨をユーザに報知するものであってもよい。
【符号の説明】
【００２８】
１  ＢＤプレーヤ（光ディスク装置）
２  モニタ装置（表示装置）
１３  ＨＤＭＩ端子部（接続手段）
１４  メモリ（記憶手段）
１６  制御用マイコン（制御手段）
２１  ディスプレイ
３１  レーザダイオード
１４ｂ  第１閾値
１４ｃ  第２閾値
１５ａ  光ピックアップ
１５ｃ  電流検出回路（電流検出手段）
１６ａ  映像出力部（映像出力手段）
３１ａ〜３１ｃ  レーザダイオード
Ｄ  光ディスク
【図１】
2010192072.tif 000003
【図２】
2010192072.tif 000004
【図３】
2010192072.tif 000005
【図４】
2010192072.tif 000006
【図５】
2010192072.tif 000007